(57)【要約】【課題】簡単な構成で傾斜ラインを照射することができる安価なレーザー墨出器を提供すること。【解決手段】スタンド部２上にカバー３を設けて構成される本体と、該本体の前記カバー３内に揺動可能に収容されたレーザーユニット４と、該レーザーユニット４を垂直姿勢に保持するジンバル機構と、前記レーザーユニット４を固定するストッパ（固定手段）９と、前記本体の傾斜を検知する傾斜センサー１０を備え、前記本体が限界角度を超えて傾斜した場合に前記レーザーユニット４からのラインレーザー光によって傾斜状態を知らせるようにしたレーザー墨出し器１において、前記本体が前記限界角度を超えて傾斜した場合に、特定の操作によってラインレーザー光を照射可能とする手段を設ける。【選択図】図２
2008175531.tif 000002
【特許請求の範囲】
【請求項１】
スタンド部上にカバーを設けて構成される本体と、該本体の前記カバー内に揺動可能に収容されたレーザーユニットと、該レーザーユニットを垂直姿勢に保持するジンバル機構と、前記レーザーユニットを固定する固定手段と、前記本体の傾斜を検知する傾斜センサーを備え、前記本体が限界角度を超えて傾斜した場合に前記レーザーユニットからのラインレーザー光によって傾斜状態を知らせるようにしたレーザー墨出し器において、
前記本体が前記限界角度を超えて傾斜した場合に、特定の操作によってラインレーザー光を照射可能とする手段を設けたことを特徴とするレーザー墨出し器。
【請求項２】
前記本体が前記限界角度を超えて傾斜した場合に、前記固定手段により前記レーザーユニットを固定することによってラインレーザー光が照射されるようにしたことを特徴とする請求項１記載のレーザー墨出し器。
【請求項３】
前記固定手段によって前記レーザーユニットが固定されるとオフする第１電源スイッチと、該第１電源スイッチとは別の第２電源スイッチを設け、前記第１電源スイッチがオフである場合に前記第２電源スイッチをオンすることによってラインレーザー光が照射されるようにしたことを特徴とする請求項１又は２記載のレーザー墨出し器。
【請求項４】
前記第２電源スイッチがオンの場合は、前記傾斜センサーからの検地信号を無効にすることを特徴とする請求項３記載のレーザー墨出し器。
【請求項５】
前記固定手段によって前記レーザーユニットが垂直又は垂直に近い姿勢で固定されると前記第１電源スイッチがオフするようにしたことを特徴とする請求項３又は４記載のレーザー墨出し器。
【請求項６】
前記レーザーユニットが傾斜ラインを照射しているときには、傾斜ラインを一定又は任意の時間間隔で点滅させることを特徴とする請求項１〜５の何れかに記載のレーザー墨出し器。
【請求項７】
スタンド部上にカバーを設けて構成される本体と、該本体の前記カバー内に揺動可能に収容されたレーザーユニットとを備え、前記カバーが前記スタンド部に対して回転可能に設けられたレーザー墨出し器において、
前記カバーの回転を固定する固定手段を設けたことを特徴とするレーザー墨出し器。
【請求項８】
前記固定手段は、前記本体を傾けて傾斜ラインを照射する場合に前記カバーを前記スタンド部に対して固定することを特徴とする請求項７記載のレーザー墨出し器。
【請求項９】
前記レーザーユニットの垂直姿勢を維持する維持手段と、該維持手段によって前記レーザーユニットが固定されるとオフする第１電源スイッチと、該第１電源スイッチとは別の第２電源スイッチとを備え、前記固定手段は、前記第１電源スイッチをオフし前記第２電源スイッチをオンして傾斜ラインを照射する場合に前記カバーを前記スタンド部に対して固定することを特徴とする請求項８記載のレーザー墨出し器。
【請求項１０】
前記固定手段を、前記スタンド部に螺合するボルトで構成したことを特徴とする請求項７〜９の何れかに記載のレーザー墨出し器。
【請求項１１】
前記カバーの前記ボルトの先端を受ける部分に弾性体を配設したことを特徴とする請求項１０記載のレーザー墨出し器。
【請求項１２】
前記固定手段を、前記スタンド部と前記カバーに螺合するボルトで構成したことを特徴とする請求項７〜９の何れかに記載のレーザー墨出し器。
【請求項１３】
前記固定手段を、前記スタンド部又は前記カバーの一方に設けられたソレノイドと、該ソレノイドのロッドが選択的に係合する凹部とで構成したことを特徴とする請求項７〜９の何れかに記載のレーザー墨出し器。
【請求項１４】
前記ソレノイドは、前記第２スイッチのオンに連動して動作することを特徴とする請求項１３記載のレーザー墨出し器。
【請求項１５】
前記固定手段を、前記スタンド部と前記カバーに形成された挿通孔と、該挿通孔に挿通するストッパとで構成したことを特徴とする請求項７〜９の何れかに記載のレーザー墨出し器。
【請求項１６】
前記固定手段を、前記スタンド部と前記カバーの回転部に形成された隙間と、該隙間に差し込まれる固定部材とで構成したことを特徴とする請求項７〜９の何れかに記載のレーザー墨出し器。
【請求項１７】
前記固定手段を、前記スタンド部と前記カバーの回転部外周に巻き付けられるバンドで構成したことを特徴とする請求項７〜９の何れかに記載のレーザー墨出し器。
【請求項１８】
前記固定手段を、前記スタンド部と前記カバーの一方に設けられたフックと他方に設けられたピンとで構成したことを特徴とする請求項７〜９の何れかに記載のレーザー墨出し器。
【発明の詳細な説明】
【技術分野】
【０００１】
本発明は、建築現場等において位置決め等に使用されるレーザー墨出し器に関するものである。
【背景技術】
【０００２】
この種のレーザー墨出器は、スタンド部上に設けられたカバー内にレーザーユニットを揺動可能に収容して構成されており、レーザーユニットから出射されたレーザーがカバーに設けられた照射窓からカバーの外部に照射されて所定の墨出しに供せられる。ここで、照射窓は、ガラス、薄いフィルム等の光透過性部材で覆われており、レーザーユニットから発せられたレーザー光は光透過性部材を透過して照射窓からカバー外部に照射される（例えば、特許文献１参照）。又、レーザーユニットを内蔵するカバーは、スタンドに対して垂直軸を中心として回転可能に構成されている。
【０００３】
ところで、レーザーユニットは、機械式のジンバル機構により重力によって常に垂直姿勢を保つよう支持されており、本体が或る程度傾斜して該レーザーユニットが垂直姿勢を保持することができなくなるとレーザー光が消灯又は点滅するよう構成されている。
【特許文献１】特開２００４−３０９２１３号公報
【発明の開示】
【発明が解決しようとする課題】
【０００４】
上述のレーザー墨出器は、本体が一定角度内で傾斜した状態であれば使用可能であるが、照射可能なラインレーザー（以下、「ライン」と称する）は水平ライン及び垂直ラインのみであり、故意に傾斜したラインを照射したい場合に本体を傾斜させるとラインが消灯又は点滅するために作業を行うことができない。ライン点滅の場合、点滅速度によってはラインの認識は可能であるが、内部のレーザーユニットが常に本体内のどこかに当たって止まるため、当たったときの衝撃でライン精度の狂いが発生してしまう。このため、ジンバル機構を拘束した状態で傾斜したラインを照射可能にする必要があった。
【０００５】
レーザー墨出し器には、レーザーユニットを傾斜センサーとモーターで傾斜可能に駆動する電子ジンバル方式を採用したものもあるが、構造が複雑で非常に高価になる。
【０００６】
従って、第１発明の目的は、簡単な構成で傾斜ラインを照射することができる安価なレーザー墨出器を提供することである。
【０００７】
又、従来のレーザー墨出し器において、本体を傾斜させてレーザー光を照射するには、ジンバル機構を何らかの方法で固定した上で本体を傾斜させるが、このとき、レーザーユニットが自重によってスタンド部に対して回転してしまい、レーザー光が基準線に対してずれてしまう可能性があり、誤作業の原因となったり、頻繁な再調整が必要となるために作業能率が悪くなるという問題があった。
【０００８】
従って、第２発明の目的は、傾斜ラインのずれに伴う誤作業や頻繁な再調整による作業能率の低下を防ぐことができるレーザー墨出し器を提供することである。
【課題を解決するための手段】
【０００９】
上記目的を達成するため、請求項１記載の発明は、スタンド部上にカバーを設けて構成される本体と、該本体の前記カバー内に揺動可能に収容されたレーザーユニットと、該レーザーユニットを垂直姿勢に保持するジンバル機構と、前記レーザーユニットを固定する固定手段と、前記本体の傾斜を検知する傾斜センサーを備え、前記本体が限界角度を超えて傾斜した場合に前記レーザーユニットからのラインレーザー光によって傾斜状態を知らせるようにしたレーザー墨出し器において、前記本体が前記限界角度を超えて傾斜した場合に、特定の操作によってラインレーザー光を照射可能とする手段を設けたことを特徴とする。
【００１０】
請求項２記載の発明は、請求項１記載の発明において、前記本体が前記限界角度を超えて傾斜した場合に、前記固定手段により前記レーザーユニットを固定することによってラインレーザー光が照射されるようにしたことを特徴とする。
【００１１】
請求項３記載の発明は、請求項１又は２記載の発明において、前記固定手段によって前記レーザーユニットが固定されるとオフする第１電源スイッチと、該第１電源スイッチとは別の第２電源スイッチを設け、前記第１電源スイッチがオフである場合に前記第２電源スイッチをオンすることによってラインレーザー光が照射されるようにしたことを特徴とする。
【００１２】
請求項４記載の発明は、請求項３記載の発明において、前記第２電源スイッチがオンの場合は、前記傾斜センサーからの検地信号を無効にすることを特徴とする。
【００１３】
請求項５記載の発明は、請求項３又は４記載の発明において、前記固定手段によって前記レーザーユニットが垂直又は垂直に近い姿勢で固定されると前記第１電源スイッチがオフするようにしたことを特徴とする。
【００１４】
請求項６記載の発明は、請求項１〜５の何れかに記載の発明において、前記レーザーユニットが傾斜ラインを照射しているときには、傾斜ラインを一定又は任意の時間間隔で点滅させることを特徴とする。
【００１５】
請求項７記載の発明は、スタンド部上にカバーを設けて構成される本体と、該本体の前記カバー内に揺動可能に収容されたレーザーユニットとを備え、前記カバーが前記スタンド部に対して回転可能に設けられたレーザー墨出し器において、前記カバーの回転を固定する固定手段を設けたことを特徴とする。
【００１６】
請求項８記載の発明は、請求項７記載の発明において、前記固定手段は、前記本体を傾けて傾斜ラインを照射する場合に前記カバーを前記スタンド部に対して固定することを特徴とする。
【００１７】
請求項９記載の発明は、請求項８記載の発明において、前記レーザーユニットの垂直姿勢を維持する維持手段と、該維持手段によって前記レーザーユニットが固定されるとオフする第１電源スイッチと、該第１電源スイッチとは別の第２電源スイッチとを備え、前記固定手段は、前記第１電源スイッチをオフし前記第２電源スイッチをオンして傾斜ラインを照射する場合に前記カバーを前記スタンド部に対して固定することを特徴とする。
【００１８】
請求項１０記載の発明は、請求項７〜９の何れかに記載の発明において、前記固定手段を、前記スタンド部に螺合するボルトで構成したことを特徴とする。
【００１９】
請求項１１記載の発明は、請求項１０記載の発明において、前記カバーの前記ボルトの先端を受ける部分に弾性体を配設したことを特徴とする。
【００２０】
請求項１２記載の発明は、請求項７〜９の何れかに記載の発明において、前記固定手段を、前記スタンド部と前記カバーに螺合するボルトで構成したことを特徴とする。
【００２１】
請求項１３記載の発明は、請求項７〜９の何れかに記載の発明において、前記固定手段を、前記スタンド部又は前記カバーの一方に設けられたソレノイドと、該ソレノイドのロッドが選択的に係合する凹部とで構成したことを特徴とする。
【００２２】
請求項１４記載の発明は、請求項１３記載の発明において、前記ソレノイドは、前記第２スイッチのオンに連動して動作することを特徴とする。
【００２３】
請求項１５記載の発明は、請求項７〜９の何れかに記載の発明において、前記固定手段を、前記スタンド部と前記カバーに形成された挿通孔と、該挿通孔に挿通するストッパとで構成したことを特徴とする。
【００２４】
請求項１６記載の発明は、請求項７〜９の何れかに記載の発明において、前記固定手段を、前記スタンド部と前記カバーの回転部に形成された隙間と、該隙間に差し込まれる固定部材とで構成したことを特徴とする。
【００２５】
請求項１７記載の発明は、請求項７〜９の何れかに記載の発明において、前記固定手段を、前記スタンド部と前記カバーの回転部外周に巻き付けられるバンドで構成したことを特徴とする。
【００２６】
請求項１８記載の発明は、請求項７〜９の何れかに記載の発明において、前記固定手段を、前記スタンド部と前記カバーの一方に設けられたフックと他方に設けられたピンとで構成したことを特徴とする。
【発明の効果】
【００２７】
請求項１及び２記載の発明によれば、水平又は垂直ラインに加えて簡単な構成で任意の角度に傾斜させた傾斜ラインが照射可能となる。
【００２８】
請求項３記載の発明によれば、第１電源スイッチがオフである場合、つまり、レーザーユニットが固定されている場合に第２電源スイッチをオンしてレーザー光を照射可能としたため、本体を傾斜させた場合に衝撃による精度変化を受けることがなく、傾斜ラインを高精度に照射することができる。
【００２９】
請求項４記載の発明によれば、第２電源スイッチがオンされると、傾斜センサーからの検知信号を無効にするようにしたため、レーザーユニットが限界角度を超えて傾いた状態で固定された場合に傾斜センサーがその傾きを検知してレーザー光を消灯することがなく、傾斜ラインを安定的に照射することができる。
【００３０】
請求項５記載の発明によれば、本体を傾けて傾斜ラインを照射するときには第１電源スイッチがオフされてレーザーユニットが垂直又は垂直に近い姿勢で固定されているため、傾斜ラインの照射時に傾斜センサーが動作して傾斜ラインの消灯又は点滅されることがなく、安定した傾斜ラインの照射が可能となる。
【００３１】
請求項６記載の発明によれば、レーザーユニットが傾斜ラインを照射しているときには傾斜ラインを一定又は任意の時間間隔で点滅させることによってユーザーに傾斜ラインを照射していることを知らせることができ、ユーザーが傾斜ラインを水平又は垂直ラインと誤認して誤作業するという不具合の発生を防ぐことができる。
【００３２】
請求項７及び８記載の発明によれば、カバーのスタンド部上での水平回転を固定する固定手段を設けたため、本体を傾けてレーザーユニットから傾斜ラインを照射する場合にカバーの水平回転を固定手段によって固定すれば、レーザーユニットが自重によってスタンド部に対して回転することがない。このため、レーザー光が基準線に対してずれることがなく、誤作業の発生が防がれ、頻繁な再調整が不要となるために作業能率が高められる。
【００３３】
請求項９記載の発明によれば、レーザーユニットの自重による回転を防いで傾斜ラインを高精度に照射することができる。
【００３４】
請求項１０記載の発明によれば、レーザー墨出し器の本体を傾けてレーザーユニットから傾斜ラインを照射する場合には、ボルトを回してその先端部をカバーに押し付けることによってカバーをスタンド部に対する水平回転を固定することができるため、傾斜ラインのずれに伴う誤作業や頻繁な再調整による作業能率の低下を防ぐことができる。
【００３５】
請求項１１記載の発明によれば、カバーのボルトの先端を受ける部分に弾性体を配設したため、ボルトの先端が当接することによるカバー側の損傷を防ぐことができるとともに、弾性体とボルトの先端との当接部に発生する摩擦力を高めてカバーの水平回転を一層確実に固定することができる。
【００３６】
請求項１２記載の発明によれば、レーザー墨出し器の本体を傾けてレーザーユニットから傾斜ラインを照射する場合には、スタンド部に螺合するボルトをカバー側のねじ孔にねじ込めば、カバーをスタンド部に締結することができるため、該カバーの水平回転を確実に防ぐことができる。
【００３７】
請求項１３記載の発明によれば、レーザー墨出し器の本体を傾けてレーザーユニットから傾斜ラインを照射する場合には、例えばカバー側に設けられたソレノイドに通電してロッドを押し下げ、その先端部をスタンド部の凹部に係合させれば、カバーのスタンド部に対する水平回転が確実に固定され、傾斜ラインのずれに伴う誤作業や頻繁な再調整による作業能率の低下を防ぐことができる。
【００３８】
請求項１４記載の発明によれば、ソレノイドを第２スイッチのオンに連動して動作させるようにしたため、レーザーユニット（カバー）の回転を防止するための作業能率が高められる。
【００３９】
請求項１５記載の発明によれば、レーザー墨出し器の本体を傾けてレーザーユニットから傾斜ラインを照射する場合には、スタンド部とカバーに形成された挿通孔にストッパを挿通させればカバーのスタンド部に対する水平回転が確実に固定されるため、傾斜ラインのずれに伴う誤作業や頻繁な再調整による作業能率の低下を防ぐことができる。
【００４０】
請求項１６記載の発明によれば、レーザー墨出し器の本体を傾けてレーザーユニットから傾斜ラインを照射する場合には、スタンド部とカバーの回転部に形成された隙間に固定部材を差し込めばカバーのスタンド部に対する水平回転が確実に固定されるため、傾斜ラインのずれに伴う誤作業や頻繁な再調整による作業能率の低下を防ぐことができる。
【００４１】
請求項１７記載の発明によれば、レーザー墨出し器の本体を傾けてレーザーユニットから傾斜ラインを照射する場合には、バンドをスタンド部とカバーの回転部外周に巻き付ければカバーのスタンド部に対する水平回転が確実に固定されるため、傾斜ラインのずれに伴う誤作業や頻繁な再調整による作業能率の低下を防ぐことができる。
【００４２】
請求項１８記載の発明によれば、レーザー墨出し器の本体を傾けてレーザーユニットから傾斜ラインを照射する場合には、スタンド部とカバーの一方に設けられたフックを他方に設けられたピンに係合させればカバーのスタンド部に対する水平回転が確実に固定されるため、傾斜ラインのずれに伴う誤作業や頻繁な再調整による作業能率の低下を防ぐことができる。
【発明を実施するための最良の形態】
【００４３】
［第１発明］
以下に第１発明の実施の形態を添付図面に基づいて説明する。
【００４４】
図１は第１発明に係るレーザー墨出し器の外観図、図２は同レーザー墨出し器のレーザーユニットの固定解除時の状態を示す正断面図、図３は同レーザー墨出し器の側面図、図４は同レーザー墨出し器の平面図、図５は同レーザー墨出し器のレーザーユニットの固定時の状態を示す正断面図、図６は同レーザー墨出し器の側面図、図７は同レーザー墨出し器の平面図である。
【００４５】
図１及び図２に示すように、レーザー墨出器１は、スタンド部２の上部に設けられたカバー３内にレーザーユニット４を収容して構成されており、カバー３の上下には矩形の照射窓５が形成されている。上記レーザーユニット４は、図２に示すように、レーザー光源を含むレンズユニット６と、該レンズユニット６から出射されたレーザー光をライン光に変換するレンズ７等を有しており、レンズ７から出射されたライン光（水平ライン、垂直ライン）は、カバー３に形成された前記照射窓５から本体外部に照射される。
【００４６】
ところで、スタンド部２の上部にはフレーム８が立設されており、このフレーム８には、前記レーザーユニット４が機械式のジンバル機構によって常に垂直姿勢を保持するよう揺動可能に支持されている。ここで、レーザーユニット４は、固定機構によって姿勢が固定される。
【００４７】
即ち、図２及び図５に示すように、スタンド部２上には一対のガイド３３が垂直に立設されており、これらのガイド３３の上端部にはプレート状のストッパ９が上下動可能に支持されている。尚、ストッパ９には、レーザーユニット４の下端部が入り込むためのテーパ孔９ａが形成されており、レーザーユニット４の下端中央には、当該レーザーユニット４の傾斜を検知するための傾斜センサー１０が取り付けられている。
【００４８】
又、カバー３の一側下部にはノブ１１が回動可能に挿通支持されており、該ノブ１１のカバー３内に臨む部分は、スタンド部２上に垂直に立設された支持部材１２によって回動可能に支持され、その端部には前記ストッパ９の下面に当接するカム１３が結着されている。
【００４９】
更に、図２及び図５に示すように、前記ストッパ９の下方には、ストッパ９に選択的に当接してオン／オフする第１電源スイッチ１４が設けられており、図４及び図７に示すように、カバー３の上面には第２電源スイッチ１５が設けられている。
【００５０】
ここで、本実施の形態に係るレーザー墨出し器１の電源スイッチ回路の構成を図８に示す。
【００５１】
図８に示すように、電池や商用電源等の電源１６とレーザー照射回路１７とを接続する第１電源スイッチ１４及びダイオード１８に対して、第２電源スイッチ１５及びダイオード１９が並列に接続され、各接続ラインにマイクロコンピュータ（以下、「マイコン」と略称する）２０が接続され、このマイコン２０には前記傾斜センサー１０が接続されている。
【００５２】
次に、以上のように構成されたレーザー墨出し器１の作用を図９に示すフローチャートに従って説明する。
【００５３】
ライン照射操作が開始されると（ステップＳ１）、第１電源スイッチ１４がオンであるか否かが判定される（ステップＳ２）。図３に示すようにノブ１１が「ＯＮ」位置にあるときには、図２に示すように、ノブ１１の端部に結着されたカム１３によってストッパ９が押し下げられるため、該ストッパ９のテーパ孔９ａがレーザーユニット４の下端部から離間して該レーザーユニット４の固定が解除され、レーザーユニット４はジンバル機構によってその姿勢が垂直に保持される。このとき、ストッパ９は第１電源スイッチ１４を押圧して該第１電源スイッチ１４をオンするため、ステップＳ２での判定結果はＹｅｓとなって処理はステップＳ３に進む。ステップＳ３では、傾斜センサー１０によって検知される本体の傾斜角が限界角度以内であるか否かが判定される。
【００５４】
傾斜センサー１０によって検知される本体の傾斜角が限界角度以内である場合（ステップＳ３での判断結果がＹｅｓである場合）には、レーザーユニット４からレーザー光（水平ライン又は垂直ライン）が照射される（ステップＳ４）。これに対して傾斜センサー１０によって検知される本体の傾斜角が限界角度を超えている場合（ステップＳ３での判断結果がＮｏである場合）には、レーザーユニット４が消灯されてレーザー光が照射されない（ステップＳ５）。尚、ステップＳ５でレーザー光を点滅させるようにしても良い。
【００５５】
他方、図６に示すようにノブ１１が「ＯＦＦ」位置にあるときには、図５に示すように、ノブ１１の端部に結着されたカム１３によってストッパ９が押し上げられるため、該ストッパ９のテーパ孔９ａがレーザーユニット４の下端部に嵌合して該レーザーユニット４を固定する。このとき、ストッパ９は第１電源スイッチ１４から離間して該第１電源スイッチ１４をオフするため、ステップＳ２での判定結果はＮｏとなって処理はステップＳ６に進む。ステップＳ６では、第２電源スイッチ１５がオンされたか否かが判定され、第２電源スイッチ１５がオンされている場合（ステップＳ６での判定結果がＹｅｓである場合）には、傾斜センサー１０からの検知信号を無効にして傾斜角が限界角度内か否かに関わらずレーザーユニット４からレーザー光が照射される（ステップＳ４）。従って、レーザー墨出し器１の本体を限界角度を超えて傾けて傾斜ラインを照射することができる。
【００５６】
本実施の形態では、第２電源スイッチ１５がオンされると、図８に示すマイコン２０が傾斜センサー１０からの検知信号を無効化し、レーザー墨出し器１の本体を限界角度を超えて傾けてもレーザーユニット４から傾斜ラインを照射することができするようにしている。従って、レーザーユニット４が限界角度を超えて傾いた状態で固定された場合に傾斜センサー１０がその傾きを検知してレーザー光を消灯することがなく、傾斜ラインを安定的に照射することができる。
【００５７】
又、本実施の形態では、第１電源スイッチ１４がオフである場合、つまり、レーザーユニット４が固定されている場合に第２電源スイッチ１５をオンしてレーザー光を照射可能としたため、本体を傾斜させた場合に衝撃による精度変化を受けることがなく、傾斜ラインを高精度に照射することができる。
【００５８】
更に、本実施の形態では、レーザーユニット４が垂直又は垂直に近い姿勢で固定されると第１電源スイッチ１４がオフするよう構成したため、本体を傾けて傾斜ラインを照射するときには第１電源スイッチ１４がオフされてレーザーユニット４が垂直又は垂直に近い姿勢で固定されているため、傾斜ラインの照射時に傾斜センサー１０が動作して傾斜ラインの消灯又は点滅されることがなく、安定した傾斜ラインの照射が可能となる。
【００５９】
尚、レーザーユニット４が傾斜ラインを照射しているときには傾斜ラインを一定又は任意の時間間隔で点滅させるようにすれば、ユーザーに傾斜ラインを照射していることを知らせることができ、ユーザーが傾斜ラインを水平又は垂直ラインと誤認して誤作業するという不具合の発生を防ぐことができる。
【００６０】
一方、レーザーユニット４を固定した状態で第１電源スイッチ１４がオフされている状態において第２電源スイッチ１５がオフされている場合（ステップＳ６での判定結果がＮｏである場合）には、作業が終了する（ステップＳ８）。尚、本実施の形態では、ノブ１１の回転操作に連動してストッパ９が２つの位置（レーザーユニット４の固定位置と解除位置）に移動するようにしたが、ノブ１１の回転操作に従いストッパ９を複数の位置に設定できるようにしてレーザーユニット４の位置を微調整できるようにしても良い。又、傾斜角度に応じてレーザー光の強度を変更するようにしても良い。
【００６１】
［第２発明］
次に、第２発明の実施の形態を添付図面に基づいて説明する。
【００６２】
＜実施の形態１＞
図１０は第２発明の実施の形態１に係るレーザー墨出し器の破断側面図であり、本図においては図２及び図５に示したものと同一要素には同一符号を付しており、以下、それらについての再度の説明は省略する。
【００６３】
本実施の形態は、カバー３のスタンド部２に対する水平回転を固定するための固定手段としてボルト２１をスタンド部２に螺合したことを特徴としており、他の構成は前記第１発明のそれと同じである。
【００６４】
上記ボルト２１は、スタンド部２に下方から螺合しており、これを回してその先端部をカバー３に押し付けることによってカバー３をスタンド部２に対する水平回転を固定することができる。このようにカバー３の水平回転を固定すれば、該カバー３とスタンド部２で構成される本体を傾けてレーザーユニット４から傾斜ラインを照射する場合にレーザーユニット４が自重によってスタンド部２に対して回転することがない。このため、レーザー光が基準線に対してずれることがなく、誤作業が発生することがなく、頻繁な再調整が不要となるために作業能率が高められる。
【００６５】
尚、図１１に示すように、カバー３のボルト２１の先端が当接する部分に弾性体２２を配設しても良く、このように構成することによってボルト２１の先端が当接することによるカバー３側の損傷を防ぐことができるとともに、弾性体２２とボルト２１の先端との当接部に発生する摩擦力を高めてカバー３の水平回転を一層確実に固定することができる。
【００６６】
又、図１２に示すように、カバー３側にねじ孔３ａを形成し、このねじ孔３ａにボルト２１をねじ込むようにすれば、カバー３をスタンド部２に締結することができ、該カバー３の水平回転を確実に防ぐことができる。
【００６７】
＜実施の形態２＞
次に、第２発明の実施の形態２を図１３に基づいて説明する。
【００６８】
図１３は第２発明の実施の形態２に係るレーザー墨出し器の破断側面図であり、本図においては図１０及び図１１に示したものと同一要素には同一符号を付しており、以下、それらについての再度の説明は省略する。
【００６９】
本実施の形態は、カバー３側にソレノイド２３を配設するとともに、該ソレノイド２３によって上下動するロッド２４の先端部が選択的に係合する凹部２ａをスタンド部２に設けたことを特徴としている。
【００７０】
而して、レーザー墨出し器１の本体を傾けてレーザーユニット４から傾斜ラインを照射する場合には、ソレノイド２３に通電した状態でロッド２４を押し上げていた（吸引していた）ソレノイド２３の通電を解除（非通電状態）してロッド２４を押し下げ(吸引を解除し)、その先端部をスタンド部２の凹部２ａに係合させれば、カバー３のスタンド部２に対する水平回転が確実に固定され、傾斜ラインのずれに伴う誤作業や頻繁な再調整による作業能率の低下を防ぐことができる。
【００７１】
尚、本実施の形態では、ソレノイド２３をカバー３側に設けたが、ソレノイド２３をスタンド部２側に設けても良い。又、ソレノイド２３の動作を第２電源スイッチ１５のオン／オフ動作に連動するようにしても良く、この場合、第２電源スイッチ１５の操作のみでカバー３が固定されるために操作性が向上する。
【００７２】
＜実施の形態３＞
次に、第２発明の実施の形態３を図１４に基づいて説明する。
【００７３】
図１４は第２発明の実施の形態３に係るレーザー墨出し器の破断側面図であり、本実施の形態は、スタンド部２とカバー３に互いに連通する挿通孔２ｂ，３ｂをそれぞれ形成し、レーザー墨出し器１の本体を傾けてレーザーユニット４から傾斜ラインを照射する場合には、前記挿通孔２ｂ，３ｂにストッパピン２５を上方から差し込むことによってカバー３のスタンド部２に対する水平回転を固定するようにしたものである。
【００７４】
従って、本実施の形態においても、傾斜ラインのずれに伴う誤作業や頻繁な再調整による作業能率の低下を防ぐことができる。
【００７５】
＜実施の形態４＞
次に、第２発明の実施の形態４を図１５に基づいて説明する。
【００７６】
図１５は第２発明の実施の形態４に係るレーザー墨出し器の破断側面図であり、本図においても図１０及び図１１に示したものと同一要素には同一符号を付しており、以下、それらについての再度の説明は省略する。
【００７７】
本実施の形態は、スタンド部２とカバー３の間にテーパ状の隙間δを形成し、レーザー墨出し器１の本体を傾けてレーザーユニット４から傾斜ラインを照射する場合には、前記隙間δに楔２６を側方から差し込んでカバー３のスタンド部２に対する水平回転を固定するようにしたものであって、本実施の形態においても、傾斜ラインのずれに伴う誤作業や頻繁な再調整による作業能率の低下を防ぐことができる。尚、楔２６がその機能を果たす限りにおいて、その材質及び形状は任意である。
【００７８】
又、図１６に示すように、スタンド部２とカバー３の間に円柱状の隙間δ’を形成し、レーザー墨出し器１の本体を傾けてレーザーユニット４から傾斜ラインを照射する場合には、前記隙間δ’にピン２７を側方から差し込んでカバー３のスタンド部２に対する水平回転を固定するようにしても良い。
【００７９】
＜実施の形態５＞
次に、第２発明の実施の形態５を図１７に基づいて説明する。
【００８０】
図１７は第２発明の実施の形態５に係るレーザー墨出し器の側面図であり、本実施の形態は、レーザー墨出し器１の本体を傾けてレーザーユニット４から傾斜ラインを照射する場合には、スタンド部２とカバー３の回転部の外周にバンド２８を巻き付けてカバー３のスタンド部２に対する水平回転を固定するようにしたものであって、本実施の形態においても、傾斜ラインのずれに伴う誤作業や頻繁な再調整による作業能率の低下を防ぐことができる。
【００８１】
＜実施の形態６＞
次に、第２発明の実施の形態６を図１８に基づいて説明する。
【００８２】
図１８は第２発明の実施の形態６に係るレーザー墨出し器の側面図であり、本実施の形態は、カバー３側にフック２９を軸３０を中心として回動可能に設け、レーザー墨出し器１の本体を傾けてレーザーユニット４から傾斜ラインを照射する場合には、フック２９をスタンド部２に突設されたピン３１に係合させることによってカバー３のスタンド部２に対する水平回転を固定するようにしたものであって、本実施の形態においても、傾斜ラインのずれに伴う誤作業や頻繁な再調整による作業能率の低下を防ぐことができる。
【００８３】
尚、本実施の形態では、フック２９をカバー３側に設け、ピン３１をスタンド部２側に設けたが、これとは逆にフック２９をスタンド部２側に設け、ピン３１をカバー３側に設けても良い。
【００８４】
＜実施の形態７＞
次に、第２発明の実施の形態７を図１９に基づいて説明する。
【００８５】
図１９は第２発明の実施の形態７に係るレーザー墨出し器の破断側面図であり、本実施の形態は、スタンド部２とカバー３に係合凹部２ｃ，３ｃをそれぞれ形成し、レーザー墨出し器１の本体を傾けてレーザーユニット４から傾斜ラインを照射する場合には、スタンド部２とカバー３に形成された係合凹部２ｃ，３ｃにコの字状の固定部材３２を係合させることによってカバー３のスタンド部２に対する水平回転を固定するようにしたものであって、本実施の形態においても、傾斜ラインのずれに伴う誤作業や頻繁な再調整による作業能率の低下を防ぐことができる。
【図面の簡単な説明】
【００８６】
【図１】第１発明に係るレーザー墨出し器の外観図である。
【図２】第１発明に係るレーザー墨出し器のレーザーユニットの固定解除時の状態を示す正断面図である。
【図３】第１発明に係るレーザー墨出し器の側面図である。
【図４】第１発明に係るレーザー墨出し器の平面図である。
【図５】第１発明に係るレーザー墨出し器のレーザーユニットの固定時の状態を示す正断面である。
【図６】第１発明に係るレーザー墨出し器の側面図である。
【図７】第１発明に係るレーザー墨出し器の平面図である。
【図８】第１発明に係るレーザー墨出し器の電源スイッチ回路の構成図である。
【図９】第１発明に係るレーザー墨出し器の動作手順を示すフローチャートである。
【図１０】第２発明の実施の形態１に係るレーザー墨出し器の破断側面図である。
【図１１】第２発明の実施の形態１に係るレーザー墨出し器の変形例を示す破断側面図である。
【図１２】第２発明の実施の形態１に係るレーザー墨出し器の変形例を示す破断側面図である。
【図１３】第２発明の実施の形態２に係るレーザー墨出し器の破断側面図である。
【図１４】第２発明の実施の形態３に係るレーザー墨出し器の破断側面図である。
【図１５】第２発明の実施の形態４に係るレーザー墨出し器の破断側面図である。
【図１６】第２発明の実施の形態４に係るレーザー墨出し器の変形例を示す破断側面図である。
【図１７】第２発明の実施の形態５に係るレーザー墨出し器の側面図である。
【図１８】第２発明の実施の形態６に係るレーザー墨出し器の側面図である。
【図１９】第２発明の実施の形態７に係るレーザー墨出し器の破断側面図である。
【符号の説明】
【００８７】
１          レーザー墨出し器
２          スタンド部
２ａ        スタンド部の凹部
２ｂ        スタンド部の挿通孔
２ｃ        スタンド部の係合凹部
３          カバー
３ａ        カバーの凹部
３ｂ        カバーの挿通孔
３ｃ        カバーの係合凹部
４          レーザーユニット
５          照明窓
６          レンズユニット
７          レンズ
８          フレーム
９          ストッパ
９ａ        ストッパのテーパ孔
１０        傾斜センサー
１１        ノブ
１２        支持部材
１３        カム
１４        第１電源スイッチ
１５        第２電源スイッチ
１６        電源
１７        レーザー照射回路
１８，１９  ダイオード
２０        マイコン
２１        ボルト（固定手段）
２２        弾性体
２３        ソレノイド（固定手段）
２４        ロッド
２５        ストッパピン（固定手段）
２６        楔（固定部材）
２７        ピン
２８        バンド（固定手段）
２９        フック（固定手段）
３０        軸
３１        ピン（固定手段）
３２        固定部材（固定手段）
３３        ガイド
δ，δ’    隙間
【図１】
2008175531.tif 000003
【図２】
2008175531.tif 000004
【図３】
2008175531.tif 000005
【図４】
2008175531.tif 000006
【図５】
2008175531.tif 000007
【図６】
2008175531.tif 000008
【図７】
2008175531.tif 000009
【図８】
2008175531.tif 000010
【図９】
2008175531.tif 000011
【図１０】
2008175531.tif 000012
【図１１】
2008175531.tif 000013
【図１２】
2008175531.tif 000014
【図１３】
2008175531.tif 000015
【図１４】
2008175531.tif 000016
【図１５】
2008175531.tif 000017
【図１６】
2008175531.tif 000018
【図１７】
2008175531.tif 000019
【図１８】
2008175531.tif 000020
【図１９】
2008175531.tif 000021